(57)【要約】【課題】この発明は、テレビ番組の視聴モード時に携帯型電話機本体を横向きにした場合に、その倒し方にかかわらず、横長状態となった表示器に、上下が正常な向きとなるようにテレビ画像が表示されるようになるテレビ放送受信機能付き携帯型電話機を提供することを目的とする。【解決手段】テレビモード時に、表示器の向きが、第１の横長状態となっているか、第１の横長状態である表示器を１８０度回転させた第２の横長状態となっているかを検出するための向き検出手段、ならびに向き検出手段によって検出された表示器の向きに適したテレビ画像が表示器に表示されるように、テレビ画像を回転処理してから、表示器に供給するための映像回転処理手段を備えていることを特徴とする。【選択図】  図２
2004282526.tif 000002
【特許請求の範囲】
【請求項１】
長方形の表示器を備え、動作モードとして、電話機としての使用する電話機モードとテレビとして使用するテレビモードとがあり、電話機モードには表示器が縦長状態で使用され、テレビモード時には表示器が横長状態で使用されるテレビ放送受信機能付きの携帯型電話機において、
テレビモード時に、表示器の向きが、第１の横長状態となっているか、第１の横長状態である表示器を１８０度回転させた第２の横長状態となっているかを検出するための向き検出手段、ならびに
向き検出手段によって検出された表示器の向きに適したテレビ画像が表示器に表示されるように、テレビ画像を回転処理してから、表示器に供給するための映像回転処理手段、
を備えていることを特徴とするテレビ放送受信機能付き携帯型電話機。
【発明の詳細な説明】
【０００１】
【発明の属する技術分野】
この発明は、テレビ放送受信機能付き携帯型電話機に関する。
【０００２】
【従来の技術】
近年、携帯型電話機の普及率が高くなっている。携帯型電話機には、液晶表示器等の表示器が搭載されているため、携帯型電話機にテレビ放送を受信する機能を付加することにより、表示器にテレビ番組を表示させることが可能となる。
【０００３】
ところで、携帯型電話機に搭載されている表示器は、一般的に縦長の状態で使用されるようになっているのに対し、テレビ放送受信機に搭載されている表示器は横長の状態で使用されている。したがって、テレビモード時には、携帯型電話機本体を横向きにして、表示器を横長の状態として使用できるようにすることが好ましい。
【０００４】
【発明が解決しようとする課題】
テレビモード時に携帯型電話機本体を横向きにする場合、携帯型電話機本体の上部が下部に対して左側にくるように倒す場合と、携帯型電話機本体の上部が下部に対して右側にくるように倒す場合との２通りの倒し方がある。
【０００５】
この発明は、テレビ番組の視聴モード時に携帯型電話機本体を横向きにした場合に、その倒し方にかかわらず、横長状態となった表示器に、上下が正常な向きとなるようにテレビ画像が表示されるようになるテレビ放送受信機能付き携帯型電話機を提供することを目的とする。
【０００６】
【課題を解決するための手段】
請求項１に記載の発明は、長方形の表示器を備え、動作モードとして、電話機としての使用する電話機モードとテレビとして使用するテレビモードとがあり、電話機モードには表示器が縦長状態で使用され、テレビモード時には表示器が横長状態で使用されるテレビ放送受信機能付きの携帯型電話機において、テレビモード時に、表示器の向きが、第１の横長状態となっているか、第１の横長状態である表示器を１８０度回転させた第２の横長状態となっているかを検出するための向き検出手段、ならびに向き検出手段によって検出された表示器の向きに適したテレビ画像が表示器に表示されるように、テレビ画像を回転処理してから、表示器に供給するための映像回転処理手段を備えていることを特徴とする。
【０００７】
【発明の実施の形態】
以下、図面を参照して、この発明の実施の形態について説明する。
【０００８】
図１は、テレビ放送受信機能付き携帯型電話機の外観を示している。
【０００９】
この携帯型電話機の動作モードには、大きく別けて、電話機として使用する電話機モードと、テレビとして使用するテレビモードとがある。
【００１０】
携帯型電話機の表面の上半部には縦長の表示器４０が設けられおり、表面の下半部には各種キーが設けられている。表示器４０が図１に示すような縦長状態である場合を基準として、表示器４０の上下左右の各辺を定義する。つまり、図１において、正面から見て、表示器４０の上側にある辺を上辺Ｕ、下側にある辺を下辺Ｄ、左側にある辺を左辺Ｌ、右側にある辺を右辺Ｒということにする。
【００１１】
電話機モード時においては、図１に示すように、表示されるべき画像の上側が表示器４０の上辺Ｕ側に対応し、画像の下側が表示器４０の下辺Ｄ側に対応するようにして、各種の画像が表示器４０に表示される。このような表示モードを縦長表示モードという。
【００１２】
テレビモード時においては、図２（ａ）または図２（ｂ）に示すように、携帯型電話機本体を横向きにして、表示器４０を横長の状態として使用する。
【００１３】
図２（ａ）では、表示器４０の上辺Ｕが左に位置し、表示器４０の下辺Ｄが右に位置し、表示器４０の右辺Ｒが上に位置し、表示器４０の左辺Ｄが下に位置している。このような携帯型電話機本体の向きを左向き状態ということにする。この場合には、表示されるべき画像の上側が表示器４０の右辺Ｒ側に対応し、画像の下側が表示器４０の左辺Ｌ側に対応するようにして、テレビ画像が表示器４０に表示される。このような表示モードを第１横長表示モードという。
【００１４】
図２（ｂ）では、表示器４０の上辺Ｕが右に位置し、表示器４０の下辺Ｄが左に位置し、表示器４０の右辺Ｒが下に位置し、表示器４０の左辺Ｌが上に位置している。このような携帯型電話機本体の向きを右向き状態ということにする。この場合には、表示されるべき画像の上側が表示器４０の左辺Ｌ側に対応し、画像の下側が表示器４０の右辺Ｒ側に対応するようにして、テレビ画像が表示器４０に表示される。このような表示モードを第２横長表示モードという。
【００１５】
この実施の形態では、テレビモード時においては、携帯型電話機本体の向き（左向き状態であるか右向き状態であるか）を、向き検出装置によって検出し、その検出結果に応じて、表示モードを第１横長表示モードまたは第２横長表示モードに設定する。
【００１６】
図３は、テレビ放送受信機能付き携帯型電話機の電気的構成を示している。
【００１７】
この携帯型電話機は、電話機能部２０と、テレビ放送受信機能部３０と、これらの機能部２０、３０を制御するＣＰＵ１０を備えている。ＣＰＵ１０には、各種キーを含む操作部１１、フラッシュメモリ１２、向き検出装置１３等が接続されている。向き検出装置１３は、テレビモード時に、携帯型電話機本体の向きが、左向き状態であるか右向き状態であるかを検出するものである。向き検出装置１３としては、例えば、加速度センサを備えたものが用いられる。
【００１８】
電話機能部２０について説明する。電話通信用アンテナ２１によって受信された信号は、無線回路２２を介して信号処理回路２３に供給されて、デジタル受話信号が復調される。デジタル受話信号は、ＡＤ／ＤＡ変換器２４によってアナログ受話信号に変換される。アナログ受話信号は、第１増幅器２５によって増幅された後、スピーカ２６に送られる。
【００１９】
マイクロフォン２８に入力された送話信号は、第２増幅器２７によって増幅された後、ＡＤ／ＤＡ変換器２４によってデジタル送話信号に変換される。デジタル送話信号は、信号処理回路２３に送られて、変調を受ける。変調を受けた送話信号は、無線回路２２を経て電話通信用アンテナ２１から送出される。
【００２０】
テレビ放送受信機能部３０について説明する。テレビ放送受信用アンテナ３１によって受信されたテレビジョン放送波は、チューナ３２によってチューニングされ、これによって得られた放送信号は、一旦バッファメモリ３３に格納された後、デマルチプレクサ３４に供給される。
【００２１】
デマルチプレクサ３４では、入力された放送信号から携帯通信端末装置向けの番組データが抽出される。抽出された番組データは、ＡＶセレクタ３５に供給され、映像データと音声データとが分離される。
【００２２】
ＡＶセレクタ３５によって分離された音声信号は、オーディオデコーダ３６に供給されてＭＰＥＧデコードされた後、アナログ音声信号に変換されてスピーカ３７に供給される。
【００２３】
ＡＶセレクタ３５によって分離された映像信号は、ビデオデコーダ３８に供給されてＭＰＥＧデコードされた後、映像回転処理回路３９を経て表示器４０に送られる。また、電話機モード時に表示器に表示すべきキャラクタおよびグラフックスを生成するためのキャラクタ・グラフィックスジェネレータ４１によって生成された信号が表示器４０に送られる。
【００２４】
表示器４０への映像データの書き込みは、表示器４０の上下左右方向を、図１を用いて定義した方向であると見做して行われる。
【００２５】
電話機モード時には、表示器４０には、キャラクタ・グラフィックスジェネレータ４１によって生成された信号のみが供給される。キャラクタ・グラフィックスジェネレータ４１は、表示器４０の上下左右方向を、図１を用いて定義した方向であると見做して、キャラクタ、グラフィックスを生成するため、通常の携帯型電話機と同様に、画像が縦長表示モードで表示される。
【００２６】
この実施の形態では、テレビモード時には、表示器４０には、映像回転処理回路３９からの映像信号（テレビ番組の映像信号）のみが供給されるものとする。
【００２７】
図４は、動作モードがテレビモードに切り替えられた場合に、ＣＰＵ１０によって実行される表示モード切り替え処理手順を示している。
【００２８】
動作モードが電話機モードからテレビモードに切り替えられると（ステップ１）、表示モードとして、第１横長表示モードおよび第２横長表示モードのうち、初期表示モードとして予め選択された表示モードを映像回転処理回路３９に設定する（ステップ２）。ここでは、初期表示モードとして、第１横長モードが選択されているものとする。
【００２９】
第１横長表示モードが映像回転処理回路３９に設定された場合には、映像回転処理回路３９は、図５に示すように、ビデオデコーダ３８から送られてきた１画面分の横長の画像を、時計方向に９０度回転させる処理を行った後、得られた画像を縦長の表示器４０に供給する。したがって、携帯型電話機が図６に示すような向き（上向き状態）にある場合には、図６に示すような向きで画像が表示される。
【００３０】
この後、向き検出装置１３の検出結果に基づいて、携帯型電話機本体の向きが、左向き状態であるか右向き状態であるかを判別する（ステップ３）。携帯型電話機本体の向きが左向き状態であると判別された場合には、表示モードとして第１横長表示モードを設定した後（ステップ４）、ステップ６に移行する。この場合の映像回転処理回路３９の処理内容は、上述したのでその説明を省略する。この場合には、図２（ａ）に示すように、表示器４０にテレビ画像が表示される。
【００３１】
携帯型電話機本体の向きが右向き状態であると判別された場合には、表示モードとして第２横長表示モードを設定した後（ステップ５）、ステップ６に移行する。第２横長表示モードが映像回転処理回路３９に設定された場合には、映像回転処理回路３９は、図７に示すように、ビデオデコーダ３８から送られてきた１画面分の横長の画像を、反時計方向に９０度回転させる処理を行った後、得られた画像を縦長の表示器４０に供給する。この場合には、図２（ｂ）に示すように、表示器４０にテレビ画像が表示される。
【００３２】
ステップ６では、動作モードが電話機モードに切り替えられたか否かを判別する。動作モードが電話機モードに切り替えられてないときには、ステップ３に戻る。動作モードが電話機モードに切り替えられた場合には、今回の処理は終了する。
【００３３】
【発明の効果】
この発明によれば、テレビモード時に携帯型電話機本体を横向きにした場合に、その倒し方にかかわらず、横長状態となった表示器に、上下が正常な向きとなるようにテレビ画像が表示されるようになる。
【図面の簡単な説明】
【図１】テレビ放送受信機能付き携帯型電話機の正面図である。
【図２】テレビモード時において、表示器４０が横長の状態として使用されることを示す正面図である。
【図３】テレビ放送受信機能付き携帯型電話機の電気的構成を示すブロック図である。
【図４】動作モードがテレビモードに切り替えられた場合に、ＣＰＵ１０によって実行される表示モード切り替え処理手順を示すフローチャートである。
【図５】第１横長表示モードが映像回転処理回路３９に設定された場合の映像回転処理回路３９による処理内容を説明するための模式図である。
【図６】表示モードが第１横長表示モードでありかつ携帯型電話機が上向き状態にある場合に、表示器４０に表示される画像の向きを示す模式図である。
【図７】第２横長表示モードが映像回転処理回路３９に設定された場合の映像回転処理回路３９による処理内容を説明するための模式図である。
【符号の説明】
１０  ＣＰＵ
１３  向き検出装置
２０  電話機能部
３０  テレビ放送受信機能部
４０  表示器
３９  映像回転処理回路
【図１】
2004282526.tif 000003
【図２】
2004282526.tif 000004
【図３】
2004282526.tif 000005
【図４】
2004282526.tif 000006
【図５】
2004282526.tif 000007
【図６】
2004282526.tif 000008
【図７】
2004282526.tif 000009